(57)【要約】【課題】デジタルカメラ等の撮影装置の操作系の誤操作を防止する。【解決手段】デジタルカメラ１に、カメラモードが撮影モードに切り替えられた場合に使用する少なくとも１つの撮影用操作ボタンが配設された撮影用操作ボタン領域１５と、カメラモードが再生モードに切り替えられた場合に使用する少なくとも１つの再生用操作ボタンが配設された再生用操作ボタン領域１６とを設ける。さらに、撮影用操作ボタン領域１５および再生用操作ボタン領域１６間を移動可能に配設され、撮影用操作ボタン領域１５に移動されるとカメラモードを再生モードに切り替え、再生用操作ボタン領域１６に移動されるとカメラモードを撮影モードに切り替える切り替えスイッチ１４を設ける。【選択図】図１
2007180705.tif 000002
【特許請求の範囲】
【請求項１】
撮影により画像を取得する撮影手段と、該撮影により取得された画像を記録する記録手段とを備えた撮影装置において、
カメラモードが撮影モードに切り替えられた場合に使用する少なくとも１つの撮影用操作ボタンが配設された撮影用操作ボタン領域と、
前記カメラモードが再生モードに切り替えられた場合に使用する少なくとも１つの再生用操作ボタンが配設された再生用操作ボタン領域と、
前記撮影用操作ボタン領域および前記再生用操作ボタン領域間を移動可能に配設され、移動後に前記撮影用操作ボタン領域および該再生用操作ボタン領域のいずれか一方を被覆する切り替えスイッチであって、前記撮影用操作ボタン領域に移動されると前記カメラモードを前記再生モードに切り替え、前記再生用操作ボタン領域に移動されると前記カメラモードを前記撮影モードに切り替える切り替えスイッチとを備えたことを特徴とする撮影装置。
【請求項２】
前記撮影用操作ボタンは、ズーム操作、ストロボのオン・オフの切り替え、およびマクロ撮影の切り替えの少なくとも１つを行うためのものであることを特徴とする請求項１記載の撮影装置。
【請求項３】
前記撮影用操作ボタンは、撮影済みの画像のコマ送り、消去およびプリントの少なくとも１つを行うためのものであることを特徴とする請求項１または２記載の撮影装置。
【発明の詳細な説明】
【技術分野】
【０００１】
本発明は、撮影により画像を取得するデジタルカメラ等の撮影装置に関するものである。
【背景技術】
【０００２】
近年、デジタルカメラの多機能化に伴い、その操作方法が複雑化している。また、多機能化に応じて、カメラモードを撮影モードや再生モードに切り替えたり、撮影済みの画像のコマ送りを行うための各種操作ボタンの数を多くする必要があるため、デジタルカメラの背面等に操作ボタンを配置するための広いスペースが必要となってくる。
【０００３】
このため、ボタン操作の組み合わせに複数の機能を割り当てることにより、操作ボタンの数の増大を防止するようにしたデジタルカメラが提案されている（特許文献１参照）。具体的には、特許文献１に記載のデジタルカメラにおいては、レリーズボタンと他のボタンとの組み合わせにより、プリント枚数の指定等の操作を行うようにしている。また、カメラモードを設定するダイアルと、そのダイアルに設けられたジョイスティックとを組み合わせることにより、操作ボタン等の操作系をコンパクトにまとめるようにしたデジタルカメラも提案されている（特許文献２参照）。
【特許文献１】特開平１１−１５０６７３号公報
【特許文献２】特開２００１−２４５１８９号公報
【発明の開示】
【発明が解決しようとする課題】
【０００４】
しかしながら、上記特許文献１，２に記載されたデジタルカメラにおいては、各種操作ボタンに割り当てられた機能が、操作の条件に応じて動的に変化する。このため、操作が難解で複雑なものとなり、その結果、多くのユーザがデジタルカメラが有する機能を有効に利用できず、ひいては誤操作を起こす可能性が高くなっているのが現状である。
【０００５】
本発明は上記事情に鑑みなされたものであり、デジタルカメラ等の撮影装置の操作系を操作した際の誤操作を防止することを目的とする。
【課題を解決するための手段】
【０００６】
本発明による撮影装置は、撮影により画像を取得する撮影手段と、該撮影により取得された画像を記録する記録手段とを備えた撮影装置において、
カメラモードが撮影モードに切り替えられた場合に使用する少なくとも１つの撮影用操作ボタンが配設された撮影用操作ボタン領域と、
前記カメラモードが再生モードに切り替えられた場合に使用する少なくとも１つの再生用操作ボタンが配設された再生用操作ボタン領域と、
前記撮影用操作ボタン領域および前記再生用操作ボタン領域間を移動可能に配設され、移動後に前記撮影用操作ボタン領域および該再生用操作ボタン領域のいずれか一方を被覆する切り替えスイッチであって、前記撮影用操作ボタン領域に移動されると前記カメラモードを前記再生モードに切り替え、前記再生用操作ボタン領域に移動されると前記カメラモードを前記撮影モードに切り替える切り替えスイッチとを備えたことを特徴とするものである。
【０００７】
なお、本発明による撮影装置においては、前記撮影用操作ボタンを、ズーム操作、ストロボのオン・オフの切り替え、およびマクロ撮影の切り替えの少なくとも１つを行うためのものとしてもよい。
【０００８】
また、本発による撮影装置においては、前記撮影用操作ボタンを、撮影済みの画像のコマ送り、消去およびプリントの少なくとも１つを行うためのものとしてもよい。
【発明の効果】
【０００９】
本発明によれば、切り替えスイッチを撮影用操作ボタン領域に移動するとカメラモードが再生モードに切り替えられる。この状態においては撮影用操作ボタン領域が被覆されているため、再生用操作ボタン領域が露呈していることとなる。一方、切り替えスイッチを再生用操作ボタン領域に移動するとカメラモードが撮影モードに切り替えられる。この状態においては再生用操作ボタン領域が被覆されているため、撮影用操作ボタン領域が露呈していることとなる。すなわち、切り替えスイッチによりカメラモードを撮影モードに切り替えれば、撮影時に使用する撮影用操作ボタンのみが露呈し、カメラモードを撮影モードに切り替えれば、撮影時に使用する撮影用操作ボタンのみが露呈することとなる。
【００１０】
したがって、ユーザが切り替えスイッチによりカメラモードを切り替えると、切り替えたモードで使用する操作スイッチのみが露呈されることとなるため、撮影時あるいは再生時における誤操作を防止することができる。
【発明を実施するための最良の形態】
【００１１】
以下、図面を参照して本発明の実施形態について説明する。図１および図２は本発明の撮影装置の実施形態であるデジタルカメラの背面側斜視図である。図１および図２に示すようにこのデジタルカメラ１は、撮影された画像等の各種表示を行うモニタ１１と、電源のオン・オフを行う電源スイッチ１２と、レリーズボタン１３と、デジタルカメラ１のモードを撮影モードおよび再生モードに切り替えるモード切り替えスイッチ１４と、撮影モード時に使用する撮影用操作ボタンが配設された撮影用操作ボタン領域１５と、再生モード時に使用する再生用操作ボタンが配設された再生用操作ボタン領域１６とを備える。なお、図示していないが、デジタルカメラ１は撮影レンズが正面側に設けられている。
【００１２】
撮影用操作ボタン領域１５および再生用操作ボタン領域１６はそれぞれほぼ同一のサイズを有する。モード切り替えスイッチ１４は、撮影用操作ボタン領域１５および再生用操作ボタン領域１６のそれぞれのほぼ全領域を被覆することが可能なサイズを有する矩形の略平板状の部材からなり、撮影用操作ボタン領域１５および再生用操作ボタン領域１６間をスライドして移動可能にデジタルカメラ１の背面に配設されている。
【００１３】
撮影用操作ボタン領域１５には、ズームを行うためのズームボタン２１と、ストロボをオン・オフするためのストロボボタン２２と、マクロ撮影を行うためのマクロボタン２３とが設けられている。また、撮影用操作ボタン領域１５には、後述するようにモード切り替えスイッチ１４を撮影モードに切り替えたことが分かるように「撮る」の文字が付与されている。
【００１４】
再生用操作ボタン領域１６には、再生する画像をコマ送りするためのコマ送りボタン２４と、再生中の画像を消去するための消去ボタン２５と、再生中の画像のプリント予約を行うためのプリント予約ボタン２６とが設けられている。また、再生用操作ボタン領域１６には、後述するようにモード切り替えスイッチ１４を再生モードに切り替えたことが分かるように「見る」の文字が付与されている。
【００１５】
そして、デジタルカメラ１のユーザがモード切り替えスイッチ１４を再生用操作ボタン領域１６側にスライドすることによりカメラモードを撮影モードに切り替えると、図１に示すようにデジタルカメラ１の背面には、撮影用操作ボタン領域１５が露呈する。すなわち、ズームボタン２１、ストロボボタン２２およびマクロボタン２３が露呈する。したがって、ユーザはこれらのボタンを適宜操作して撮影を行い、撮影により取得した画像をデジタルカメラ１のメディアに記録することができる。
【００１６】
一方、モード切り替えスイッチ１４を撮影用操作ボタン領域１５側にスライドすることによりカメラモードを再生モードに切り替えると、図２に示すように、デジタルカメラ１の背面には、再生用操作ボタン領域１６が露呈する。すなわち、コマ送りボタン２４、消去ボタン２５およびプリント予約ボタン２６が露呈する。したがって、ユーザはこれらのボタンを適宜操作してメディアに記録された画像の再生、削除およびプリント予約を行うことができる。
【００１７】
このように、本実施形態においては、ユーザがモード切り替えスイッチ１４によりカメラモードを切り替えると、切り替えたモードで使用する操作ボタンのみが露呈されることとなるため、撮影時あるいは再生時における誤操作を防止することができる。
【００１８】
なお、上記実施形態においては、モード切り替えスイッチ１４を、撮影用操作ボタン領域１５および再生用操作ボタン領域１６間をスライドして移動可能にデジタルカメラ１の背面に配設しているが、図３および図４に示すモード切り替えスイッチ１４′を用いるようにしてもよい。このモード切り替えスイッチ１４′は、撮影用操作ボタン領域１５および再生用操作ボタン領域１６のそれぞれのほぼ全領域を被覆することが可能なサイズを有する矩形の略平板状の部材からなり、撮影用操作ボタン領域１５および再生用操作ボタン領域１６間を回動可能に、その一縁部を軸受３０により支持されてデジタルカメラ１の背面に配設されている。
【００１９】
そして、デジタルカメラ１のユーザがモード切り替えスイッチ１４を再生用操作ボタン領域１６側に回動することによりカメラモードを撮影モードに切り替えると、図３に示すようにデジタルカメラ１の背面には、撮影用操作ボタン領域１５が露呈する。すなわち、ズームボタン２１、ストロボボタン２２およびマクロボタン２３が露呈する。したがって、ユーザはこれらのボタンを適宜操作して撮影を行い、撮影により取得した画像をデジタルカメラ１のメディアに記録することができる。
【００２０】
一方、モード切り替えスイッチ１４を撮影用操作ボタン領域１５側に回動することによりカメラモードを再生モードに切り替えると、図４に示すように、デジタルカメラ１の背面には、再生用操作ボタン領域１６が露呈する。すなわち、コマ送りボタン２４、消去ボタン２５およびプリント予約ボタン２６が露呈する。したがって、ユーザはこれらのボタンを適宜操作してメディアに記録された画像の再生、削除およびプリント予約を行うことができる。
【００２１】
なお、上記実施形態においては、撮影用操作ボタン領域１５にズームボタン２１、ストロボボタン２２およびマクロボタン２３を設けているが、撮影に必要な他の操作ボタンを撮影用操作ボタン領域１５に設けることが可能である。
【００２２】
また、上記実施形態においては、再生用操作ボタン領域１６にコマ送りボタン２４、消去ボタン２５およびプリント予約ボタン２６を設けているが、画像の再生に必要な他の操作ボタンを再生用操作ボタン領域１６に設けることが可能である。
【図面の簡単な説明】
【００２３】
【図１】本発明の撮影装置の実施形態であるデジタルカメラの背面側斜視図（撮影モード）
【図２】本発明の撮影装置の実施形態であるデジタルカメラの背面側斜視図（再生モード）
【図３】本発明の撮影装置の他の実施形態であるデジタルカメラの背面側斜視図（撮影モード）
【図４】本発明の撮影装置の他の実施形態であるデジタルカメラの背面側斜視図（再生モード）
【符号の説明】
【００２４】
１      デジタルカメラ
１１    モニタ
１２    電源スイッチ
１３    レリーズボタン
１４，１４′    モード切り替えスイッチ
１５    撮影用操作ボタン領域
１６    再生用操作ボタン領域
２１    ズームボタン
２２    ストロボボタン
２３    マクロボタン
２４    コマ送りボタン
２５    消去ボタン
２６    プリント予約ボタン
【図１】
2007180705.tif 000003
【図２】
2007180705.tif 000004
【図３】
2007180705.tif 000005
【図４】
2007180705.tif 000006